(57)【要約】      （修正有）【課題】自動車のハッチバックドアに取り付け可能な、シャワーカーテンを利用したテントを提供する。【解決手段】自動車バックドア１１を完全に跳ね上げ静止する位置で当該バックドア１１を天井として利用し当該バックドアの三辺を囲むように吊り下げて成るシャワーカーテンに於いて、シャワーカーテン生地（Ａ面からＣ面）に具備したハトメ金具に紐５０の一端を縛り付け、他端は立木に縛りつけタープとし、シャワーカーテン生地の長手方向と同幅を等辺とする二等辺三角形の周辺部に面ファスナーが備わった二等辺三角形の生地２０をタープのシャワーカーテン生地の具備された面ファスナーと接合させることで大型タープとなる。【選択図】図５
0003211966.tif 000002
【実用新案登録請求の範囲】
【請求項１】
自動車バックドアを完全に跳ね上げ静止する位置で当該バックドアを天井として利用し当該バックドアの四辺を囲むように吊り下げて成るシャワーカーテンに於いて、前記シャワーカーテンの構成部材であるシャワーカーテン生地の長手方向の周辺部に面ファスナーおよび下端部には面ファスナーと複数のハトメ穴が具備され、前記ハトメ穴に紐を固定し他端の紐は当該自動車を除く場所に縛り付け又は支柱部先端に前記ハトメ穴を嵌め込んで立設することで形成されるタープに、面ファスナーを具備した補助シートを前記シャワーカーテン生地に具備された面ファスナーに接合し側面壁とすることで構成されたテント。
【請求項２】
前記シャワーカーテン生地の長手方向と同幅を等辺とする二等辺三角形の生地又は同幅の正方形の生地の周辺部に面ファスナーが具備され、前記シャワーカーテン生地の長手方向に具備された面ファスナーと前記二等辺三角形の生地若しくは正方形の生地に具備された面ファスナーを接合して成るタープに、面ファスナーを具備した補助シートを前記シャワーカーテン生地に具備された面ファスナーに接合し側面壁とすることで構成された請求項１に記載のテント。
【請求項３】
前記シャワーカーテン生地がバックドアの各辺に対して独立であり、当該シャワーカーテン生地上部にはシャワーカーテン生地吊り下げ用の紐を貫通させるための筒形状の部位が備わり、バックドアの四角に対応する位置は前記筒形状の部位が切り落されており、前記シャワーカーテン生地の長手方向には面ファスナーが付され、各シャワーカーテン生地は前記面ファスナーにて接合され、前記連続する三枚のシャワーカーテン生地上部の筒形状の部位内にはゴムバンド若しくはゴム紐が貫通され両端部には長さ調整可能なアジャスター付きフックが具備され、残り一枚のシャワーカーテン生地にも上部の筒形状の部位内にゴムバンド若しくはゴム紐が貫通され、両端部には長さ調整可能なアジャスター付きフックが具備され、前記筒形状の部位を切り落とした領域でゴムバンド若しくはゴム紐が露出したシャワーカーテンを使用した請求項１または請求項２に記載のテント。
【考案の詳細な説明】
【技術分野】
【０００１】本考案は、アウトドアライフの後に汗や埃などを迅速、且つ、簡易的に洗い流すことが可能なハッチバックドアに取り付け可能なシャワーカーテンを利用したテントに関する。
【背景技術】
【０００２】従来、アウトドアライフを楽しんだ者たちは、汗や砂埃で汚れている状態で直接運転することを望んでおらず、又本格的に身体の汚れを洗い落とすためのシャワーを望んでもいない。この要求を満足させるための車載取り付け用簡易シャワーカーテンが提案されている。【０００３】アウトドアライフとしてキャンプを楽しむ者たち用としてテントも販売されており車載に取り付けるタイプも存在する。一方で、テントは防災用としても使用されている。
【先行技術文献】
【特許文献】
【０００４】
【特許文献１】特開平１０−２１１６４５号
【特許文献２】実用新案公報３２０１８３０号
【考案の概要】
【考案が解決しようとする課題】
【０００５】前述の如くアウトドアライフとしてキャンプを行う者たちは、簡易シャワー、タープおよびテントを準備する場合が多く、それぞれの商品を購入する必要がある。特にアウトドア商品は割高であり全ての商品を揃えるために相当の出費が必要となる。【０００６】特許文献１には、狭い車内空間でなくバックドアを利用した簡易シャワーを設置する考案が提案されている。具体的には、円型の金輪の端を直角に曲げ差込部をパイプ支柱の先端孔に差込、そのパイプ支柱を、停車中の後部トランクを開け、トランク後壁の床上に立て、支柱の下部を、トランクロック金具に取り付けた紐で縛って固定し、又、両端に鉤付きの２本のトランク蓋の上面に沿って延びるゴム紐の一端の鉤を支柱の中部に、他端を、トランク開閉アームに掛け、ゴムで引っ張って、固定し、立設して得られる円筒形の空間のスペースを利用するシャワーである。【０００７】当該特許文献には別の方法として、カーテンを吊された、水平に保持された金輪の端に直角に曲げた差込部を、パイプ支柱の先端の孔を差し込み、そのパイプ支柱を車の後部トランクを利用することなくパイプ差込孔を持つ地上の台座の孔に、又は、地面に打込んだ太めのパイプ杭の孔に差し込み、或いは、地面に打ち込んだ杭、立木に縛りつけ、更には、地面に埋め込む等の方法で、立設、固定して、得られる円筒形の空間のスペースを利用することも提案されている。確かに、本考案では身体を洗い流すためのスペースは確保される。が、いずれの方法も組み立てに要する時間が長く、アスファルト道路やコンクリート道路では杭を地面に打ち込めず実用面で課題が残る。【０００８】特許文献２は、本考案者が提案したものであるが自動車バックドアを完全に跳ね上げ静止する位置で当該バックドアを天井として利用し当該バックドアの四辺を囲むように吊り下げるシャワーカーテンに関して、前記バックドアの各辺に対して独立したシャワーカーテンであり、当該シャワーカーテン上部にはシャワーカーテン吊り下げ用の紐を貫通させるための筒形状に縫合された部位が備わり、バックドアの四角に対応する位置は前記筒形状に縫合された部位が切り落されており、前記シャワーカーテンの長手方向にはファスナー若しくは面ファスナーが付され、各シャワーカーテンは前記ファスナー若しくは面ファスナーにて接合され、前記連続する三枚のシャワーカーテン上部の筒形状に縫合された部位内にはゴムバンド若しくはゴム紐が貫通され両端部には長さ調整可能なアジャスター付きフックが具備され、残り一枚のシャワーカーテンにも上部の筒形状に縫合された部位内にゴムバンド若しくはゴム紐が貫通され、両端部には長さ調整可能なアジャスター付きフックが具備されており、前記筒形状に縫合された部位を切り落とした領域でゴムバンド若しくはゴム紐を露出させた自動車用簡易シャワーカーテンである。【０００９】前記シャワーカーテン下部両端付近にハトメ金具により貫通穴を具備され、また前記シャワーカーテン長手方向と同幅を等辺とする二等辺三角形の生地にて、前記シャワーカーテンに具備されたファスナー若しくは面ファスナーに接合できるように当該二等辺三角形の生地の等辺にファスナー若しくは面ファスナーが付された自動車用簡易シャワーカーテンでありタープとしても使用できる。しかし、特許文献２は特許文献１の課題を解決できシャワーカーテンだけでなくタープとしての使用は可能であるがテント構造まで考慮されておらずキャンプを行う場合にはテントを別途購入しなければならない。
【課題を解決するための手段】
【００１０】上記課題に鑑み、考案者は誠意工夫の結果、自動車バックドアを完全に跳ね上げ静止する位置で当該バックドアを天井として利用し当該バックドアの四辺を囲むように吊り下げて成るシャワーカーテンに於いて、前記バックドア側に面するシャワーカーテン生地を除いた三辺のシャワーカーテン生地長手方向の周辺部に面ファスナーおよび下端部には面ファスナーと複数のハトメ穴が具備され、前記ハトメ穴に紐を固定し他端の紐は当該自動車を除く場所に縛り付け又は支柱部先端に前記ハトメ穴を嵌め込んで立設することで形成されるタープに、面ファスナーを具備した補助シートを前記シャワーカーテン生地に具備された面ファスナーに接合し側面壁とすることで構成されたテントを提案する。【００１１】前記シャワーカーテン生地長手方向と同幅を等辺とする二等辺三角形の生地又は同幅の正方形の生地の周辺部に面ファスナーが具備され、前記シャワーカーテン生地の長手方向に具備された面ファスナーと前記二等辺三角形の生地若しくは正方形の生地に具備された面ファスナーを接合して成るタープに、面ファスナーを具備した補助シートを前記シャワーカーテン生地に具備された面ファスナーに接合し側面壁とすることで構成さるテントである。
【考案の効果】
【００１２】本考案によれば、車載用シャワーカーテンおよびタープとしての利用だけでなく簡単に組み立てられるテントとしても利用できる。
【図面の簡単な説明】
【００１３】
【図１】独立したシャワーカーテン生地の形状を示す。
【図２】面ファスナーにて独立したシャワーカーテンを接合した状態を示す。
【図３】ハッチバックドア自動車のハッチバックドアを開いた状態を示す。
【図４】ハッチバックドア角にゴムバンドを取り付けた状態を示す。
【図５】二等辺三角形の生地を面ファスナーによりシャワーカーテンに接合しタープとして使用する際の形状を示す
【図６】正方形の生地を面ファスナーによりシャワーカーテンに接合することでタープとして使用する際の形状を示す
【図７】図６のタープ側面に補助シートを面ファスナーにて接合させテントとした時の側面図を示す。
【図８】シャワーカーテン生地と補助シートの接合方法の一例
【考案を実施するための形態】
【００１４】以下、本考案に係る実施の形態を図面により説明する。
【実施例】
【００１５】図１は、バックドア四辺に対して各辺に独立したシャワーカーテン生地の形状であり自動車バックドアを完全に跳ね上げ静止する位置で当該バックドアを天井として利用し当該バックドアの四辺を囲むように吊り下げることで完成するシャワーカーテンであり、当該シャワーカーテン生地の上部を重ね合わせ短辺方向に縫い合わせ筒型の形状部（１）とし、バックドアの四隅に対応する位置は前記筒型の形状部を切り落とした部分（２）とする。また、当該シャワーカーテン生地の下部にはハト金具（６）を具備している。【００１６】図２は、前記シャワーカーテン生地のＡ面からＣ面は上部を除きの各辺に面ファスナー（５）、Ｄ面は上部と下部を除いた各辺に面ファスナー（５）を備え、面ファスナー同士を接合した平面図を示す。さらに前記連続するシャワーカーテンＡ面からＣ面の筒内にはゴムバンド（３）を貫通させ、当該ゴムバンドの両端部にはフック（４）を具備しており、シャワーカーテンＤ面の筒内にもゴムバンド（３）を貫通させ当該ゴムバンド（３）の両端部にはフック（４）を具備しており、前記筒部を切り取った領域にて前記ゴムバンドが露出させた自動車用シャワーカーテンである。【００１７】図３は、ハッチバック式自動車側面を示しバックドアダンパー（１２）の伸縮によりハッチバック式ドア（１１）の開閉が可能となる。図４は、当該ハッチバック式ドア四隅にゴムバンド（３）を取り付けた状態であり自動車屋根部（１０）側から見た図を示す。Ａはシャワーカーテン（Ａ面）を取り付ける位置、Ｂはシャワーカーテン（Ｂ面）を取り付ける位置、Ｃはシャワーカーテン（Ｃ面）を取り付ける位置およびＤはシャワーカーテン（Ｄ面）を取り付ける位置を示す。【００１８】図５は、図４のシャワーカーテン生地（Ａ面からＣ面）に具備したハトメ金具（６）に紐（５０）の一端を縛り付け、他端は図示していないが立木に縛りつけタープとし、シャワーカーテン生地の長手方向と同幅を等辺とする二等辺三角形の周辺部に面ファスナーが備わった二等辺三角形の生地（２０）を前記タープのシャワーカーテン生地の具備された面ファスナーと接合させることで大型タープとなる。【００１９】図６は、図４のシャワーカーテン生地（Ａ面からＣ面）に具備したハトメ金具（６）に紐（５０）の一端を縛り付け、他端は図示していないが立木に縛りつけタープとし、シャワーカーテン生地の長手方向と同幅の四角形周辺部に面ファスナーが備わった四角形の生地（２５）を前記タープのシャワーカーテン生地の具備された面ファスナーと接合させることで大型タープとなる。【００２０】図７は、図６の大型タープの外周部に具備されている面ファスナーに面ファスナーを具備した補助シート（５０）と面ファスナーを具備したメッシュ窓付きの補助シート（５５）を接合し側面壁とすることでテントを形成したものである。尚、破線は当該テントの後ろにある自動車を表す。前記補助シートとシャワーカーテン生地とを接合する面ファスナーの取り付け位置に関しては適宜変更可能であるが、図８にシャワーカーテン生地と補助シートの接合方法の一例を示す。四角形の生地（２５）の一部を補助シート（６０）に覆いかぶさるように接合すれば雨水などの侵入を防止できる。【００２１】尚、本考案の実施形態は一例であり本考案を逸脱しない範囲での変更は可能である。例えば、面ファスナーに関してはファスナーやボタンをシャワーカーテン生地に具備させることも可能である。補助シートに関してはタープとなる各シャワーカーテン生地に対して補助シートを接合するのでなく複数のシャワーカーテン生地に対応する長さの補助シートを接合させても良い。シャワーカーテン生地に関しては防水仕様の生地を必要とするが防災用などの備品としても使用する場合にはブルーシートを使用することが好ましい。また、シャワーカーテン生地Ａ面からＣ面を独立シートとせず、例えばシャワーカーテン生地の筒型の形状部を切り落とした部分近くをポイント的に縫合しても良い。
【産業上の利用可能性】
【００２２】本考案のテントによれば、アウトドアライフだけでなく災害時でも使用できる。
【符号の説明】
【００２３】１    筒型の形状部
２    筒型の形状部を切り落とした部分
３    ゴムバンド
４    フック
５    面ファスナー
６    ハトメ金具
１０  車体屋根部
１１  ハッチバックドア
１２  バックドアダンパー
２０  二等辺三角形の生地
２５  四角形の生地
５０  タープ若しくはテント用として使用する際の紐
６０  補助シート
６５  メッシュ窓付き補助シート
Ａ    シャワーカーテン（Ａ面）を取り付ける位置
Ｂ    シャワーカーテン（Ｂ面）を取り付ける位置
Ｃ    シャワーカーテン（Ｃ面）を取り付ける位置
Ｄ    シャワーカーテン（Ｄ面）を取り付ける位置
【図１】
0003211966.tif 000003
【図２】
0003211966.tif 000004
【図３】
0003211966.tif 000005
【図４】
0003211966.tif 000006
【図５】
0003211966.tif 000007
【図６】
0003211966.tif 000008
【図７】
0003211966.tif 000009
【図８】
0003211966.tif 000010
【手続補正書】
【提出日】平成29年5月29日(2017.5.29)
【手続補正１】
【補正対象書類名】実用新案登録請求の範囲
【補正対象項目名】請求項３
【補正方法】変更
【補正の内容】
【請求項３】
前記シャワーカーテン生地の上部にはシャワーカーテン生地吊り下げ用の紐を貫通させるための筒形状に縫合された部位が備わり、自動車バックドアの四角に対応する位置は前記筒形状の部位が切り落されており、連続する三枚のシャワーカーテン生地の筒形状の部位内にはゴムバンド若しくはゴム紐が貫通され両端部に長さ調整可能なアジャスター付きフックが取り付けられており、残り一枚のシャワーカーテン生地にも筒形状の部位内にゴムバンド若しくはゴム紐が貫通され両端部には長さ調整可能なアジャスター付きフックが取り付けられており、前記筒形状の部位を切り落とした領域はゴムバンド若しくはゴム紐が露出したシャワーカーテンを使用した請求項１または請求項２に記載のテント。